【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
底部部分、および、該底部部分のベッド領域を覆う上部ケーシングによって形成されている保育器チャンバと、
空気を処理し、かつ前記保育器チャンバを経由して前記空気を循環させるための空気処理・循環装置と
を備え、
前記空気処理・循環装置がベンチレータを含み、前記空気処理・循環装置が、前記ベッド領域の１つ以上の側部に沿って配置されたチャンバ入口開口と接続されていることによって、処理された空気が、前記空気処理・循環装置から前記保育器チャンバ内に流れることが可能になっており、前記空気処理・循環装置が、少なくとも１つのチャンバ出口開口とさらに接続されていることによって、空気が、前記保育器チャンバから前記空気処理・循環装置に流れることが可能になっており、
前記ベッド領域が、頭端および足端、２つの長手方向側部、ならびに中心を有し、前記２つの長手方向側部が、前記頭端と前記足端との間、および、前記頭端側の横方向側部と前記足端側の横方向側部との間に延びており、前記中心が、長手方向の中心線と横方向の中心線との交点によって決定され、前記長手方向側部のそれぞれに、１つ以上の前記チャンバ入口開口が配置されており、前記長手方向側部の前記チャンバ入口開口が、前記長手方向の中心線および前記横方向の中心線に関して非対称的に配置されている、保育器。
【請求項２】
前記長手方向側部の一方の前記チャンバ入口開口が、前記長手方向側部の、前記頭端側の半分にあり、反対側の長手方向側部の前記チャンバ入口開口が、前記反対側の長手方向側部の前記足端側の半分にある、請求項１に記載の保育器。
【請求項３】
前記横方向側部のうちの一方にのみ、１つ以上のチャンバ入口開口が配置されている、請求項１または２に記載の保育器。
【請求項４】
前記横方向側部の前記チャンバ入口開口が前記足端に配置されている、請求項３に記載の保育器。
【請求項５】
前記チャンバ出口開口が、前記頭端に配置されている、請求項１〜４のいずれか一項に記載の保育器。
【請求項６】
前記側部のそれぞれに、ただ１つの前記チャンバ入口開口が配置されている、請求項１〜５のいずれか一項に記載の保育器。
【請求項７】
前記チャンバ入口開口のそれぞれが、スロット形状を有する、請求項６に記載の保育器。
【請求項８】
前記チャンバ出口開口が、前記ベッド領域よりも上の高さに配置される、請求項１〜７のいずれか一項に記載の保育器。
【請求項９】
前記チャンバ出口開口が、前記保育器チャンバの少なくとも半分の高さに配置される、請求項８に記載の保育器。
【請求項１０】
前記空気処理・循環装置が、前記チャンバ出口開口と前記ベンチレータとの間に配置された入口空気ダクトを有し、バッフルユニットが前記入口空気ダクト内に配置されている、請求項１〜９のいずれか一項に記載の保育器。
【請求項１１】
前記入口空気ダクトに狭窄部が配置されている、請求項１０に記載の保育器。
【請求項１２】
前記狭窄部が、前記バッフルユニットと前記ベンチレータとの間に配置されている、請求項１１に記載の保育器。
【請求項１３】
前記バッフルユニットが、前記入口空気ダクト内に同心円状に配置された管状部分を備え、これにより、前記空気が、前記管状部分の内面および外面に沿って流れることができるようになっている、請求項１０〜１２のいずれか一項に記載の保育器。
【請求項１４】
前記バッフルユニットが、前記管状部分から該管状部分の中心軸線に向かって内方向に延びる、放射状に配置された複数の空気案内羽根を含む、請求項１３に記載の保育器。
【請求項１５】
前記放射状に配置された複数の空気案内羽根が、前記バッフルユニットの中心において、芯部材によって相互連結されている、請求項１４に記載の保育器。
【請求項１６】
前記バッフルユニットが、該バッフルユニットの表面に沿って流れる前記空気を加熱するための加熱素子を備え、該加熱素子は好ましくは、前記バッフルユニットの前記管状部分および／または前記空気案内羽根に組み込まれる、請求項１０〜１５のいずれか一項に記載
の保育器。
【請求項１７】
前記空気処理・循環装置の前記ベンチレータが、ベンチレータチャンバ内に配置されており、前記空気処理・循環装置が、前記ベンチレータチャンバおよび前記チャンバ入口開口と連通している分配チャンバをさらに有する、請求項１〜１６のいずれか一項に記載の保育器。
【請求項１８】
前記分配チャンバが、実質的に平坦な上壁、および、これと平行に延びる実質的に平坦な底壁を有するハウジングによって形成されている、請求項１７に記載の保育器。
【請求項１９】
前記上壁ならびに前記底壁が、それらの長手方向側部と、それらの横方向側部の少なくとも一方とにおいて、上方に延びる縁部部分を有し、互いに関連する該縁部部分によって、該互いに関連する縁部部分間に、出口ダクトが形成されている、請求項１８に記載の保育器。
【請求項２０】
前記出口ダクトの自由端が、少なくとも部分的に開いていることによって、前記チャンバ入口開口が形成されている、請求項１９に記載の保育器。
【請求項２１】
前記出口ダクトの側端が、前記上壁と前記底壁とを相互接続する縁部壁によって閉じられている、請求項１９に記載の保育器。
【請求項２２】
前記上方に延びる縁部部分が湾曲している、請求項１９に記載の保育器。
【請求項２３】
前記ベンチレータチャンバと前記分配チャンバとの間の移行部にベンチュリ隆起部が配置されている、請求項１７に記載の保育器。
【請求項２４】
前記ベンチュリ隆起部が、前記底壁上において湾曲するように延びる、請求項２３に記載の保育器。
【請求項２５】
前記ベンチレータチャンバ、前記分配チャンバおよび前記出口ダクトが、１つの一体ケーシングによって形成されている、請求項１７〜２４のいずれか一項に記載の保育器。
【手続補正２】
【補正対象書類名】明細書
【補正対象項目名】００１５
【補正方法】変更
【補正の内容】
【００１５】
上壁ならびに底壁は、それらの長手方向側部（ｌｏｎｇｉｔｕｄｉｎａｌ  ｓｉｄｅ）と、それらの横方向側部（ｔｒａｎｓｖｅｒｓａｌ  ｓｉｄｅ）の少なくとも一方とにおいて、上方に延びる縁部部分を有し、互いに関連する縁部部分によって、該互いに関連する縁部部分間に、出口ダクトが形成され、出口ダクトの自由端が、少なくとも部分的に開いていることによって、チャンバ入口開口が形成されることが好ましい。上方に延びる縁部部分は湾曲していることが好ましい。ハウジングのこの特定の形状は、余計な圧力損失を生じさせ得る障害物および急な転回を防止する。
【手続補正３】
【補正対象書類名】明細書
【補正対象項目名】００１９
【補正方法】変更
【補正の内容】
【００１９】
可能な実施形態では、ベンチレータチャンバ、分配チャンバ、および出口ダクトは、１つの一体ケーシングによって形成される。このようにして、小型かつあまり複雑でないダクト構造を実現することができる。様々なチャンバおよびダクトの間には、いかなる結合部分および移行部分も必要ではなく、その結果、空気の流れの乱れの可能な限り少ない、平滑な内面を有するダクトシステムが実現される。
【手続補正４】
【補正対象書類名】明細書
【補正対象項目名】００２２
【補正方法】変更
【補正の内容】
【００２２】
この目的は、前記ベッド領域が、頭端（ｈｅａｄ  ｅｎｄ）および足端（ｆｏｏｔ  ｅｎｄ）、２つの長手方向側部、ならびに中心を有し、２つの長手方向側部が、頭端と足端との間、および、頭端側の横方向側部と足端側の横方向側部との間に延び、中心が、長手方向の中心線および横方向の中心線の交点によって決定され、前記長手方向側部のそれぞれに、１つ以上のチャンバ入口開口が配置され、前記長手方向側部のチャンバ入口開口が、長手方向の中心線および横方向の中心線に関して非対称的に配置されている、冒頭で規定されたような保育器によって達成される。互いに対向している長手方向側部へのチャンバ入口開口の非対称的な配置により、これらの入口開口から出てくるそれぞれの空気の流れが、非対称的に経路設定されることになる。
【００２３】
【手続補正５】
【補正対象書類名】明細書
【補正対象項目名】００２５
【補正方法】変更
【補正の内容】
【００２５】
横方向側部のうちの一方にのみ、好ましくは、足端に、１つ以上のチャンバ入口開口が配置されることが好ましい。足端のこの入口から出てくる流れは、長手方向側部の入口から出てくる流れを乱さないために、比較的弱くされている。